(57)【要約】【課題】  ナメクジを駆除するために、誘引殺虫剤を入れる容器として市販の使い捨て紙コップを用い、この紙コップをナメクジ駆除器の中に組み入れることにより、より利便性のあるナメクジ駆除器を提供する。【解決手段】  ナメクジ駆除器１は本体部２と、本体部２の上部に嵌め込む蓋部６とによりなり、本体部２は、市販の使い捨て紙コップ１１を入れて保持する円筒形のホルダー３と、紙コップ１１を受けると共にホルダー３を乗せて固着させる台４と、プロテクター５などにより構成され、本体部２に組み入れた紙コップ１１を覆い誘引殺虫剤１０に雨とか潅水が掛からぬ様に設けられた蓋部６は、カバー７と、摘まみ７ａと、カバー受け８などにより構成される。本体部２から蓋部６を取り外すと直ぐそこにホルダー３があるので、使い捨て紙コップ１１を必要に応じて入れたり取り出したりすることが容易に出来る。【選択図】図１
2017093413.tif 000002
【特許請求の範囲】
【請求項１】
ナメクジを駆除する装置であって、本体部と、本体部の上部に嵌め込む蓋部とによりなり、本体部は市販の使い捨て紙コップの口を上向きにして入れて保持する円筒形のホルダーと、該紙コップを受けると共に該ホルダーを乗せて固着させる台と、該台のトップ面の水抜き孔と、該水抜き孔用の防虫ネットと、プロテクターと、複数のスペーサーとにより構成され、蓋部は、カバーと、摘まみと、円筒形のカバー受けと、該カバー受け上部の切り欠きと、該切り欠き用ナメクジ逃避防止ネットと、ストッパーとにより構成されていることを特徴とするナメクジ駆除器。
【請求項２】
ナメクジを駆除するために誘引殺虫剤を入れる容器として市販の使い捨て紙コップを用い、該市販の使い捨て紙コップをナメクジ駆除器の中に組み入れていることを特徴とする請求項１に記載のナメクジ駆除器。
【請求項３】
前記紙コップを入れて保持する前記ホルダーの高さは、該ホルダーを前記台のトップ面に乗せた状態で、該紙コップの高さより低くし、該紙コップの上部が該ホルダーの上端より上にはみ出る様にしており、該ホルダーの上端に於ける円形の開口部の内径は、該ホルダーの高さと該紙コップの同じ高さに於ける、該紙コップの外径と同一寸法とし、該台のトップ面に該ホルダーを乗せた態状で該ホルダーの中に該紙コップを入れた時に、該ホルダーの上端の内側の円周と該紙コップ外面の円周とが一致して接触することにより隙間をなくすようにされていることを特徴とする請求項１又は２に記載のナメクジ駆除器。
【請求項４】
前記蓋部の前記円筒形のカバー受けの上部は凸凹させており、複数の凸部の内面に凸部の数と同数の前記ストッパーを固着させるべく、該ストッパーの上端と凸部の上端とを揃え、横方向は凸部の幅と該ストッパーの幅の差を左右均等に振り分けにして固着させた後に、凸部の上端と該ストッパーの上端とを前記カバーのトップの内面に固着させて蓋部の一部となるようにされており、複数の凹部は前記の切欠きであり、該切欠きには前記逃避防止ネットを該カバー受けの内面に貼り付け、該蓋部の該カバー受けの下部を前記本体部の前記プロテクターの上部外面に嵌め込んだ時に、該ストッパーの下端を該本体部の該プロテクターの上端で、受け止める様にされていることを特徴とする請求項１に記載のナメクジ駆除器。
【発明の詳細な説明】
【技術分野】
【０００１】  本発明は、ナメクジを駆除するナメクジ駆除器に関するものである。
【背景技術】
【０００２】  ナメクジは夜間とか雨上がりに餌などを求めて徘徊し、丹念に育てている野菜とか草花とか果樹などに食害を与える害虫である。このナメクジを駆除する方法の一つとして、以前から誘引殺虫剤を市販の使い捨て紙コップ（以下、紙コップ）に入れて、ナメクジが多発し、食害を受けている野菜とか草花などの付近に直に置くだけで手軽に駆除する方法がある。しかしながら、この方法には以下の様な問題点がある。（イ）、誘引殺虫剤に雨とか潅水がかかり、このために誘引殺虫剤の薬効が失われ用をなさなくなる。（ロ）、雨が降っている時に放置してしまうと、誘引殺虫剤とかナメクジの死骸が紙コップから溢れ出たりして気持ちの悪い状態になる。（ハ）、風がよく当たる所に置いていると、紙コップが吹き飛ばされ、誘引殺虫剤とかナメクジの死骸が紙コップから飛び出し散乱する。
（ニ）、犬とか猫などが誘引殺虫剤を誤食する恐れがある。この様な問題点があるため、誘引殺虫剤を紙コップに入れて直に置くだけで駆除するこの方法を実行してもその後の管理が面倒で継続することが難しく途中で諦めてしまい駆除が徹底せず一時的なもので終わってしまっている。【０００３】  本発明のナメクジ駆除器に関連する従来のナメクジを駆除または捕殺または捕獲などするための定置式装置に関して開示されている発明には、以下の様に種々のものがある。ナメクジ駆除器（特許文献１４、特許文献１９、特許文献２０参照）とか、ナメクジ捕殺器（特許文献４、特許文献９参照）とか、ナメクジ捕獲器（特許文献８、特許文献１３、特許文献２１、特許文献２７参照）とか、捕虫器（特許文献１１参照）とか、軟体動物捕獲器（特許文献１５参照）とか、害虫捕獲器（特許文献１８参照）とか、ナメクジ捕獲容器（特許文献７参照）とか、ナメクジ類の駆除剤及び捕獲器（特許文献３参照）とか、保温材入りナメクジ駆除容器（特許文献６参照）とか、ナメクジ等の捕獲器（特許文献１０、特許文献１２、特許文献２５参照）とか、ナメクジ等駆除具（特許文献１、特許文献２参照）とか、ナメクジ駆除剤載置用容器（特許文献２３参照）とか、ナメクジ駆除装置（特許文献２６参照）とか、ナメクジ捕獲器とその製造法（特許文献１７参照）とか、害虫用の誘引殺虫剤を長持ちさせる方法（特許文献５参照）とか、なめくじ駆除装置（特許文献２２参照）とか、なめくじ駆除具（特許文献１６参照）とか、ナメクジ等の害虫誘引殺薬剤入れ（特許文献２４参照）。【０００４】  上記の開示されている種々の発明について、その各々の特許文献によると、ナメクジが好む特製の餌とか誘引殺虫剤などを雨とか潅水が掛からないようにされた装置の中に、直に置いたり、天井面に付着とか装着させたり、特製の容器に入れて置いたり、特製の皿に載せて置いたり、使い捨ての皿に載せて置いたり、底部に誘引シートを置いたりなどして、匂いでおびき寄せ食させるとか水死させるなどして駆除などをするとか、駆除などをしたナメクジなどの処理を容易にするとか、装置が風で飛ばされないようにするとか、犬とか猫などが誘引殺虫剤を誤食しないようにするなどといった種々の特徴のいずれかを有している。しかしながら、以下の問題点を有している様に見受けられるものがある。
（ホ）、駆除とか捕殺とか捕獲とかしたナメクジの死骸とか食べ残しの餌とか薬効が無くなった殺虫剤などが、ナメクジの出す体液で装置の底部などとか容器などの底などにこびり付き、汚れが酷い時には洗浄する必要があり、これを元の様な状態に戻すのに手間がかる。（ヘ）、夜行性のナメクジは装置の入り口に至る経路が明確でないので、装置の外面を這って来たりすると、ナメクジの出す体液が装置の外面に付着する可能性があり、装置に触ることに抵抗感が生じる。（ト）、装置ごと使い捨てにしている。（チ）、ナメクジが装置の中に入る口が１個所か２個所しかなく駆除をする範囲が限られる。【０００５】  前記のナメクジを駆除または捕殺または捕獲などするための定置式装置に関して開示されている発明についての後記の先行技術文献の特許文献の段落番号０００６の特許文献１〜特許文献２７の特許文献の中には、本発明の特徴であるナメクジを駆除するために誘引殺虫剤を入れる容器として市販の使い捨て紙コップを用い、この市販の使い捨て紙コップをナメクジ駆除器の中に組み入れていることを特徴とするといった特徴を有するものは見当たらなかった。
【先行技術文献】
【特許文献】
【０００６】
【特許文献１】  特開平０７−１９４２８５号公報
【特許文献２】  特開平０８−０５１９１１号公報
【特許文献３】  特開平８−１７５９０６号公報
【特許文献４】  特開平０９−０９８７０３号公報
【特許文献５】  特開平１０−３３７１４３号公報
【特許文献６】  特開平１１−２５３０８６号公報
【特許文献７】  特開２００１−０８６９１５号公報
【特許文献８】  特開２００１−１０３９００号公報
【特許文献９】  特開２００２−０２７８８８号公報
【特許文献１０】  特開２００３−２３９４４号公報
【特許文献１１】  特開２００３−０７０４０３号公報
【特許文献１２】  特開２００３−２７４８３２号公報
【特許文献１３】  特開２００７−０６０９２８号公報
【特許文献１４】  特開２００７−１５１４２２号公報
【特許文献１５】  特開２００７−１５１５３８号公報
【特許文献１６】  特開２０１１−２２３９３５号公報
【特許文献１７】  特開２０１２−００５４７３号公報
【特許文献１８】  特開２０１３−１７２６６０号公報
【特許文献１９】  実開昭６１−２０１５７５公報
【特許文献２０】  実開昭６２−２０４４８２公報
【特許文献２１】  実開平０４−０３８２７５公
【特許文献２２】  実登３００１９９４号
【特許文献２３】  実登３０３２６１０号
【特許文献２４】  実登３０３６８７０号
【特許文献２５】  実登３０８３３８２号
【特許文献２６】  実登３１７９８７１号
【特許文献２７】  実登３１９５７２６号
【発明の概要】
【発明が解決しようとする課題】
【０００７】  本発明は、ナメクジを駆除するために、前記、背景技術の段落番号０００２に記述の問題点（イ）〜（ニ）の問題の解決と、併せて、前記、背景技術の段落番号０００４に記述の問題点（ホ）〜（チ）の問題をも解決しようとするものであり、このために、誘引殺虫剤を入れる容器として市販の使い捨て紙コップを用い、この紙コップをナメクジ駆除器の中に組み入れることにより、より利便性のあるナメクジ駆除器を提供する。
【課題を解決するための手段】
【０００８】  ナメクジ駆除器１は、前記、背景技術に記述の問題点（イ）〜（ニ）と（ホ）〜（チ）の問題を解決し、より利便性のあるものにするために以下のような構成となっている。【０００９】  ナメクジ駆除器１は本体部２と、本体部２の上部に嵌め込む蓋部６とによりなり、本体部２は、市販の使い捨て紙コップ（以下、紙コップ）１１の口を上向きにして入れて保持する円筒形のホルダー（以下、ホルダー）３と、この紙コップ１１を受けると共にホルダー３を乗せて固着させる台４と、台４のトップ面の水抜き孔４ａと、この孔４ａ用の防虫ネット４ｂと、プロテクター５と、複数のスペーサー５ａとにより構成され、本体部２に組み入れた紙コップ１１を覆い誘引殺虫剤１０に雨とか潅水が掛からぬ様に設ける蓋部６は、カバー７と、摘まみ７ａと、カバー受け８と、このカバー受け８の上部の複数の切り欠き８ａと、複数の切り欠き８ａ用のナメクジ逃避防止ネット（以下、逃避防止ネット）８ｂと、複数のストッパー８ｃとにより構成される。本体部２から蓋部６を取り外すと直ぐそこにホルダー３があるので、使い捨て紙コップ１１を必要に応じて入れたり取り出したりすることが容易に出来る。
【発明の効果】
【００１０】  ナメクジ駆除器１に、誘引殺虫剤１０を入れる容器として市販の使い捨て紙コップ（以下、紙コップ）１１を用い、この紙コップ１１をナメクジ駆除器１の中に組み入れたことにより、誘引殺虫剤１０に雨とか潅水が掛かることもなく、誘引殺虫剤１０を紙コップ１１に入れてホルダー３に入れ置くだけで、誘引殺虫剤１０の発生する匂いで本装置周辺のナメクジ１２を誘き寄せ、ナメクジ１２が紙コップ１１の中に這入り込み誘引殺虫剤１０を食して死に至り、駆除が確実にでき、駆除後の処理も紙コップ１１ごと取り出しポリ袋などに入れ生ゴミとして廃棄すればたいした抵抗感もなく簡単に行える。また、誘引殺虫剤１０と紙コップ１１を新しいものに換えれば気持ち良く簡単に繰り返し使用でき、シンプルな部材で構成されたコンパクトな形態で、容易に取り扱え、前記、背景技術に記述の問題点（イ）〜（ニ）と（ホ）〜（チ）の問題も解決される。【００１１】  前記、背景技術に記述の問題点（イ）〜（ニ）と（ホ）〜（チ）の問題の解決についての詳細は、後記の発明を実施するための形態において、（イ）と（ロ）と（ニ）については段落番号００３０に、（ハ）については段落番号００２７に、（ホ）については段落番号００３６に、（ヘ）については段落番号００２１と段落番号００２４に、（ト）については段落番号００１８に、（チ）については段落番号００２１にて、記述している。
【図面の簡単な説明】
【００１２】
【図１】  本発明の実施形態を示すナメクジ駆除器の一部切取断面図である。
【図２】  同ナメクジ駆除器の本体部から蓋部を取り外した一部切取正面図である。
【図３】  同ナメクジ駆除器を上方から見た一部切取平面図である。
【図４】  同ナメクジ駆除器の本体部を上方から見た平面図である。
【図５】  同ナメクジ駆除器のカバー受け８の斜視図である。
【発明を実施するための形態】
【００１３】  以下、本発明の実施の形態を図１〜図５に基づいて説明する。
【００１４】  図においては、１は本発明のナメクジ駆除器で、本体部２と、本体部２の上部に嵌め込む蓋部６とによりなっている。
【００１５】  図１〜図４に示すように、本体部２は、誘引殺虫剤１０を入れる市販の使い捨て紙コップ（以下、紙コップ）１１と、この紙コップ１１の口を上向きにして入れて保持する円筒形のホルダー（以下、ホルダー）３と、紙コップ１１を受けると共にホルダー３を乗せて固着させる鉢を伏せた形の台（以下、台）４と、この台４のトップ面の水抜き孔（以下、水抜き孔）４ａと、この孔４ａ用の防虫ネット（以下、防虫ネット）４ｂと、円筒形のプロテクター（以下、プロテクター）５と、複数（本形態の図では、一例として４個としている）のスペーサー５ａとにより構成されている。本体部２のプロテクター５の上部外面に、蓋部６の円筒形のカバー受け（以下、カバー受け）８の下部を嵌め込む。
【００１６】  図３と図４に示すように、本体部２の紙コップ１１と、主要な部材であるホルダー３と、台４と、プロテクター５とは、平面的に見た外形が円形であり、中心を同じくする同心円となっている。このように、シンプルな部材で構成され、コンパクトな形態になっている。
【００１７】  誘引殺虫剤１０はナメクジ用の出来るだけ強力な誘引と殺虫の効能がある粒状のものを使用するとよい。また、誘引殺虫剤１０は使い捨てとなるので、使い切った時に手軽に購入できる市販品を用いる。紙コップ１１は比較的安価な白無地、内面ポリエチレンラミネート加工のものか、又は同等の加工をされたものを使用するとよい。また、紙コップ１１は使い捨てとなるので使い切った時に手軽に購入できる市販品を用いる。ただ、本ナメクジ駆除器１にて用いる市販の使い捨て紙コップ１１の代わりとして、市販の使い捨て紙コップ１１と同形のプラスチック製の安価な使い捨てコップがあれば用いてもよい。
【００１８】  本発明のナメクジ駆除器１は使い捨てではなく、誘引殺虫剤１０と比較的安価な市販の紙コップ１１のみを使い捨てとしている。この様にして、前記、背景技術の問題点（ト）の問題を解決している。
【００１９】  図１に示すように、ホルダー３は台４のトップ面に乗せて、ホルダー３の下端部を台４のトップ面に固着させる。紙コップ１１は口を上向きにして、ホルダー３の上端の開口部から中に入れて保持されるのと同時に、紙コップ１１の下端部を台４のトップ面で受けている。紙コップ１１を入れて保持するホルダー３の高さと内径は市販の使い捨て紙コップ１１をベースにして決める。
【００２０】  図１に示すように、紙コップ１１を入れて保持するホルダー３の高さは、ホルダー３を台４のトップ面に乗せた状態で、紙コップ１１の高さより１０ｍｍ低くし、紙コップ１１の上部が、ホルダー３の上端より上に１０ｍｍはみ出る様にしている。紙コップ１１のこのはみ出た部分をピンセットなどで挟み、手を汚すことなく容易に取り出し廃棄できる様にしている。次に、ホルダー３の開口部の内径は、ホルダー３の高さと紙コップ１１の同じ高さに於ける紙コップ１１の外径と同一寸法とし、台４のトップ面にホルダー３を乗せた状態で、ホルダー３の中に紙コップ１１を入れた時に、ホルダー３の開口部の内側の円周と紙コップ１１の外面の円周とが一致して接触することにより隙間をなくすようにしている。これは、ホルダー３の外面を這い上がってきたナメクジ１２が、ホルダー３の内部に入り込むと取り出すのに余計な手間が掛かるので、入らない様に紙コップ１１の外面との隙間をなくしている。例えば、紙コップ１１として、市販の７オンス  容量２０５ｍｌ口径７３ｍｍ×高さ８０ｍｍのサイズのものを使用した場合、ホルダー３の高さは７０ｍｍとなるので、ホルダー３の開口部の内径は６５ｍｍとなる。しかし、紙コップ１１はメーカーによっては同じ容量の２０５ｍｌのものでも口径とか高さに若干の違いがあり、また、ホルダー３の製作誤差もあるので、これらを考慮して最終的にホルダー３の開口部の内径をきめるとよい。
【００２１】  図１と図４に示すように、ナメクジ駆除器１は、誘引殺虫剤１０を入れている紙コップ１１の口を上向きにして、本駆除器１の中央部に置いているので、誘引殺虫剤１０が発生する匂いをナメクジ１２が嗅げば、本駆除器１を中心にして平面的に３６０度のどの方向からでも、本駆除器１の台４の下部周囲に這い寄って来て、このまま這い上る。この後の本体２でのナメクジ１２の経路は、台４の外面から、ホルダー３の外面に移り這い上がる。次に、紙コップ１１の上部外面へと順次這い上がり、紙コップ１１の開口部の縁上端まで登り詰め、この後、紙コップ１１の内面を這い下がり、紙コップ１１の底に置いている誘引殺虫剤１０を食して死に至たる。この様にして、前記、背景技術の問題点（ヘ）と（チ）の問題を解決している。
【００２２】  ナメクジ１２がホルダー３の外面を這い上がるスペースを確保するためと、誘引殺虫剤１０が発生する匂いは、図１に於いて、矢印で示している様にカバー受け８の上部の切欠き８ａに貼り付けている逃避防止ネット８ｂの網目から全部流れ出るのではなく、このナメクジ１２が這い上がるスペースにも流れ降りて、ナメクジ１２を上方に誘引させる。このために、図１から図４に示すように、ホルダー３の外面とプロテクター５の内面との間に複数の台形のスペーサー５ａ（以下、スペーサー）を取り付ける。複数（本形態の図では、一例として４個としている）のスペーサー５ａは片側の端部をホルダー３の外周に等間隔で放射状に固着させる。その後、プロテクター５の内面にスペーサー５ａの他の端部を固着させる。ただ、各部材をこの様に一個ずつ固着させて製作するか、ホルダー３と複数のスペーサー５ａと、または、プロテクター５と複数のスペーサー５ａとを一体化して製作するかは、コスト的に有利になる方を選択するとよい。それから、スペーサー５ａを台形にしているのは、ナメクジ１２がスペーサー５ａの面を這い上がって来た時に、ナメクジ１２はより高い所に上がりたがる習性がある様なので、スペーサー５ａの下端はホルダー３からプロテクター５にかけて上り勾配を付け、スペーサー５ａの上端はプロテクター５からホルダー３にかけて上り勾配を付けて紙コップの上部に向かって行くようにしている。
【００２３】  図１に示すように、プロテクター５はホルダー３の開口部の内側と紙コップ１１の外面とが接触している個所から吹き降りの雨とか潅水がホルダー３の内部に入らないようにカバーするのと、雨とか潅水が地面から跳ね返り、紙コップ１１の中に入れている誘引殺虫剤１０にかからぬ様にカバーするのと、本ナメクジ駆除器１の設置場所を変える時にプロテクター５の外面を掴めるようにしているのと、プロテクター５の上部外面に蓋部６のカバー受け８を嵌め込む等のために設けている。ただ、この様な嵌め込み式にして製作するか、プロテクター５の上部外面に雄ネジをつけ、カバー受け８の下部内面に雌ネジをつけたネジ込み式にして製作するかは、使い勝手とコスト面で有利になる方を選択するとよいが、ネジ込み式にすると蓋部６の摘まみ７ａをつまんで持ち運びできるようになるので、本ナメクジ駆除器１の設置場所を変える時など使い勝手がよくなる。
【００２４】  図１に示すように、蓋部６の摘まみ７ａをつまんで、蓋部６のカバー受け８の下部内面を本体部２のプロテクター５の上部外面に、嵌め込んだり取り外したりするときは、例えば、左手でプロテクター５の外面を掴み、右手で摘まみ７ａをつまんで行う。プロテクター５の外面とカバー７の上面と摘まみ７ａは、ナメクジ１２が這い上がる経路から外れているので安心して触れたり持つことができる。この様にして、前記、背景技術の問題点（ヘ）の問題を解決している。
【００２５】  図１と図４に示すように、雨とか潅水の飛沫が紙コップ１１の上部外面につき滴になったものが、紙コップ１１の外面の円周とホルダー３の開口部の内側の円周とが一致して接触している箇所の僅かな隙間からホルダー３の中に入り溜まる可能性があるので、直径８ｍｍほどの水抜き孔４ａを台４のトップ面の中心に設ける。台４のトップ面の水抜き孔４ａの下面には、虫が侵入するのを防ぐために防虫ネット４ｂを貼り付ける。
【００２６】  図１に示すように、台４は本ナメクジ駆除器１が倒れにくく安定して置けるように鉢を伏せた形とし、安定さを増すために、一般的な洗面器とかボウルの縁の様に下端部は周囲全体に張り出している。
【００２７】  本ナメクジ駆除器１を温室内とかビニールハウス内など風が当たらない所に置く場合は、図１に示すように、この形態のままで地面１３の上に置く。風がよく当たる家庭菜園とか野菜畑とか花壇とか果樹の根元付近などに置く場合は、地面１４に台４の下端部が入る広さで、台４の高さの２分の１ほどの深さに穴を掘り、本ナメクジ駆除１を置く、この後、台４の下部の周囲を掘り出した土で埋め戻す。台４の下部の周囲を埋め戻した土の重さにより本駆除器１が風で倒されたり飛ばされたりしないようにしている。この様にして、前記、背景技術の問題点（ハ）の問題を解決している。ただ、台風とか強風などで横殴りの雨が降り、飛ばされる恐れがある様な時には影響のない所に一時的に保管する。図１に於ける地面１４は台４の下部を台４の高さの２分の１ほどの深さに埋めた時の地面の位置を表示している。
【００２８】  図１〜図３と図５に示すように、蓋部６は、皿を伏せた形のカバー（以下、カバー）７と、鍔付丸棒形摘まみ（以下、摘まみ）７ａと、円筒形のカバー受け（以下、カバー受け）８と、このカバー受け上部の複数（本形態の図では、一例として４個所としている）の切り欠き８ａと、複数（本形態の図では、一例として４個としている）のナメクジ逃避防止ネット（以下、逃避防止ネット）８ｂと、複数（本形態の図では、一例として４個としている）のストッパー８ｃとにより構成されている。
【００２９】  図３に示すように、蓋部６の主要な部材であるカバー７と、摘まみ７ａと、カバー受け８とは、平面的に見た外形が円形であり中心を同じくする同心円となっている。このように、シンプルな部材で構成され、コンパクトな形態になっている。
【００３０】  図１〜図３に示すように、蓋部６のカバー７は、誘引殺虫剤１０を入れている紙コップ１１を覆い、雨とか潅水が入らないようにしているので、誘引殺虫剤の効能が雨とか潅水により失われることはない。また、カバー７で覆うことにより犬とか猫などが誘引殺虫剤１０を誤食できないようにしている。この様にして、前記、背景技術の問題点（イ）と（ロ）と（ニ）の問題を解決している。ただ、本ナメクジ駆除器１が何かの拍子で倒れた場合、紙コップ１１の口から数粒の誘引殺虫剤１０がこぼれる可能性があるので、この時はすぐに起こし、こぼれたのがあればピンセットなどでつまんで紙コップ１１に戻すか、ポリ袋などに入れて廃棄すればよい。
【００３１】  図１に示すように、カバー７の縁部は斜め下方に向くようにし、吹き降りの雨とか潅水がカバー受け８の上部の切り欠き８ａの内面に貼り付けている切欠き８ａ用ナメクジ逃避防止ネット（以下、逃避防止ネット）８ｂの網目を抜けて紙コップ１１の中に入れている誘引殺虫剤１０に掛からないように軒の役目をしているのと、誘引殺虫剤１０が発生する匂いが、逃避防止ネット８ｂの網目を抜けて流れ出た後、斜め下方に流れ、物陰に潜んでいたり、餌などを求めて徘徊しているナメクジ１２を、本ナメクジ駆除器１の台４の下部周囲に誘引するようにしている。
【００３２】  図１〜図３と図５に示すように、紙コップ１１の開口部の縁上端まで登り詰めてきたナメクジ１２が、紙コップ１１の中に容易に入れる様にするために、紙コップ１１の開口部の縁上端とカバー７のトップの内面との間にスペースを確保している。このために、カバー受け８と、ストッパー８ｃを設けている。
【００３３】  図１と図２と図５に示すように、蓋部６のカバー７のトップの内面に固着させる円筒形のカバー受け（以下、カバー受け）８の上部は凸凹させており、この複数（本形態の図において、一例として４個所としている）の凸部の内面に凸部の数と同数のストッパー８ｃを１個ずつ固着させるべく、ストッパー８ｃの上端と凸部の上端とを揃え、横方向は凸部の幅とストッパー８ｃの幅の差を左右均等に振り分けて固着させる。この後、凸部の上端とストッパー８ｃの上端とをカバー７のトップの内面に固着させて蓋部６の一部となるようにする。そして、蓋部６のカバー受け８の下部を本体部２のプロテクター５の上部外面に嵌め込んだ時に、ストッパー８ｃの下端を本体部２のプロテクター５の上端で受け止める様にしており、これにより、カバー７のトップの内面と紙コップ１１の開口部縁上端との間に、ナメクジ１２が通れるスペースを確保している。ただ、各部材をこの様に一個ずつ固着して製作するか、カバー受け８と、ストッパー８ｃとを一体化して製作するかは、コスト的に有利に成る方を選択するとよい。
【００３４】  図１〜図３と図５に示すように、カバー受け８の上部の複数（本形態の図において、一例として４個所としている）の凹部は誘引殺虫剤が発生する匂いを四方に流れ出る様にする切欠き８ａであり、この切欠き８ａにはナメクジが紙コップ１１の開口部の方に行かずこの切欠き８ａから逃げ出すのを防ぐために、複数（本形態の図において、一例として４個としている）の逃避防止ネット８ｂをカバー受け８の内面に貼り付けている。この逃避防止ネット８ｂの縦方向の寸法はストッパー８ｃの縦方向の寸法と同一寸法とし、上端はカバー７のトップの内面に接触させ、下端はストッパー８ｃの下端と同一レベルとし、横方向の寸法は左側のストッパー８ｃの右端と右側のストッパー８ｃの左端との間のカバー方向の寸法は左側のストッパー８ｃの右端と右側のストッパー８ｃの左端との間のカバー受け８の内面に沿わせた寸法とする。
【００３５】  図１〜図３に示すように、蓋部６を本体部２の上部に、嵌め込んだり取り外したりする時に、指でつまめる鍔付丸棒形の摘まみ（以下、摘まみ）７ａをカバー７のトップ面中央に固着させる。
【００３６】  図１と図２と図４に示すように、本発明のナメクジ駆除器１は、本体部２の上部に嵌め込んでいる、蓋部６を摘まみ７ａをつまんで持ち上げて外すと、直ぐそこに、本体部２のホルダー３があるので、最初は新しい誘引殺虫剤１０を新しい紙コップ１１の底部に、底が見えなくなる程度の僅かな量を入れた後、この紙コップ１１をホルダー３の中に入れ、本体部２に蓋部６を嵌め込むだけなので至って簡単にできる。この後、ナメクジ駆除器１のプロテクター５の外面を掴んでナメクジ１２が多発している場所に持って行き、段落番号００２７に記述している内容を参照して設置する。そして、ナメクジ駆除器１を設置してから数日後に、蓋部６の透明なカバー７の上から紙コップ１１の中を見て、紙コップ１１の底部の誘引殺虫剤１０がナメクジ１２の死骸で見えなくなっているようであれば、誘引殺虫剤１０の薬効がナメクジ１２の体液で殆ど無くなっているので、摘まみ７ａをつまんで蓋部６を持ち上げて外し、この紙コップ１１の底部にあるナメクジ１２の死骸と殆ど薬効が無くなった誘引殺虫剤１０とを、このままの状態で、紙コップ１１の上部の縁をピンセットなどで挟み持ち上げて紙コップ１１ごと取り出しポリ袋などに入れて生ゴミとして廃棄すればたいした抵抗感もなく、手も汚さず手間もかからず短時間で簡単に処理でき、装置の中などを洗浄する必要もない。そしてその後、誘引殺虫剤１０と紙コップ１１を新しいものに換え、最初に使い始めた時と同様に行っていけば気持ち良く簡単に繰り返し使用できる。この様にして、前記、背景技術の問題点（ホ）の問題を解決している。
【００３７】  図１に於いて、本発明のナメクジ駆除器１に、例えば、使い勝手の良いサイズの紙コップ１１として、市販の７オンス  容量２０５ｍｌ  口径７３ｍｍ×高さ８０ｍｍのサイズのものを使用した場合、カバー７の最大直径は約１３０ｍｍ、台４の下端からカバー７付きの摘まみ７ａの上端までの高さは約１４０ｍｍ、プロテクター５の外径は約１００ｍｍ、台４の下端部の外径は約１２０ｍｍ程度のコンパクトな形態のものとなる。また、台４の下端から紙コップ１１の開口部上端までの高さは約１１０ｍｍ程度なので、この程度の高さであれば体長１２ｍｍ程の小さなナメクジ１２でも苦にもせず這い上がって行き、そして、紙コップ１１の底で死骸となっている。ただ、ナメクジの胴径が約７ｍｍ以上の大きなものに対しては、市販の９オンス  容量２７５ｍｌ以上の紙コップ１１で対応することになり、上記の各サイズは大きくなる。また、プロテクター５の外径も大きくなり、本ナメクジ駆除器１の設置場所を変える時にプロテクター５の外面が掴みにくくなるので、このプロテクター５の外面にマグカップに付いている様な取っ手をつけるなどして対応するとよい。
【００３８】  図３に示すように、本発明のナメクジ駆除器１を構成しているホルダー３と、台４と、プロテクター５と、カバー７と、カバー受け８と、摘まみ７ａとは、シンプルな形状の部材なので、これらの部材の全部又は一部を平面的に見た外形が四角形とか五画形とか或いは円に近い様な多角形とすることができる。が、平面的に見た外形は円形が基本の形なので、本発明を実施するための形態の図に於いては、これらの部材を平面的に見た外形は全て円形とし、本明細書においても全て円形として記述している。
【００３９】  図１〜図５に於いて、ナメクジ駆除器１を構成している、ホルダー３と、台４と、プロテクター５と、スペーサー５ａと、カバー７と、摘まみ７ａと、カバー受け８と、ストッパー８ｃとは、日光、雨、風などにさらされるので耐久性のある硬質の合成樹脂製とする。蓋部６のカバー７は、蓋部６を本体部２の上部に嵌めこんだ状態で、紙コップ１１の中の状態を見ることができるように透明な合成樹脂製とする。このカバー７以外は透明とか不透明とかを限定せず有色も可とする。防虫ネット４ｂと、逃避防止ネット８ｂとは、市販品の合成樹脂製の鉢底用ネットをカットして用いるとよい。
【産業上の利用可能性】
【００４０】  ナメクジにより食害を受ける、家庭菜園とか、野菜畑とか、花壇とか、果樹の根元とか、温室内とか、ビニールハウス内などに置いて利用できるので、本ナメクジ駆除器の利用範囲は相当に広い。コンパクトな形態なので場所を取らない、簡単に取り扱えるなど多くの特徴を有する本ナメクジ駆除器を必要に応じて複数個、置いておくだけで、付近のナメクジを確実に駆除できる。本ナメクジ駆除器はシンプルな形状の部材で構成されているので、製作コストを低くおさえ、量産化され、利用したいと思われる方々が納得されるような安価のものが市場に提供できれば産業上の利用可能性はある。それと、家庭菜園とか野菜畑などの作物の周りに、誘引殺虫剤とか忌避剤を直接ばら撒くことに抵抗感のある方々には安心して利用して頂ける。
【符号の説明】
【００４１】  １  ナメクジ駆除器
２  本体部
３  ホルダー
４  台
４ａ  水抜き孔
４ｂ  水抜き孔用防虫ネット
５  プロテクター
５ａ  スペーサー
６  蓋部
７  カバー
７ａ  摘まみ
８  カバー受け
８ａ  カバー受け上部の切り欠き
８ｂ  切り欠き用ナメクジ逃避防止ネット
８ｃ  ストッパー
１０  誘引殺虫剤
１１  市販の使い捨て紙コップ
１２  ナメクジ
１３  本駆除器を風が当たらない場所に設置した場合の地面
１４  本駆除器を風が当たる場所に設置した場合の地面（地中に台の下部を埋めた状態）
【図１】
2017093413.tif 000003
【図２】
2017093413.tif 000004
【図３】
2017093413.tif 000005
【図４】
2017093413.tif 000006
【図５】
2017093413.tif 000007
【手続補正書】
【提出日】平成28年10月12日(2016.10.12)
【手続補正１】
【補正対象書類名】特許請求の範囲
【補正対象項目名】請求項１
【補正方法】変更
【補正の内容】
【請求項１】
ナメクジを駆除する装置であって、本体部と、本体部の上部に嵌め込む蓋部とによりなり、本体部は、市販の使い捨て紙コップの口を上向きにして入れて保持する円筒形のホルダーと、該紙コップを受けると共に該ホルダーを乗せて固着させる台と、該台のトップ面の水抜き孔と、該水抜き孔に取り付けられた防虫ネットと、ホルダーを囲う円筒形のプロテクターと、ホルダーの外面とプロテクターの内面との間に設けられた複数のスペーサーとにより構成され、蓋部は、本体部を覆うカバーと、摘まみと、カバーの下側に取り付けられた円筒形のカバー受けと、該カバー受け上部の複数の切り欠きと、該複数の切り欠きに取り付けられたナメクジ逃避防止ネットと、カバー受けの内面に固着された複数のストッパーを有し、カバー受けの下部を本体部のプロテクターの上部外面に嵌め込んだ時に、ストッパーの下端がプロテクターの上端によって受け止められるように構成されていることを特徴とするナメクジ駆除器。
【手続補正２】
【補正対象書類名】特許請求の範囲
【補正対象項目名】請求項３
【補正方法】変更
【補正の内容】
【請求項３】
前記紙コップを入れて保持する前記ホルダーの高さは、該ホルダーを前記台のトップ面に乗せた状態で、該紙コップの高さより低くし、該紙コップの上部が該ホルダーの上端より上にはみ出る様にしており、該ホルダーの上端に於ける円形の開口部の内径は、該ホルダーの高さと該紙コップの同じ高さに於ける、該紙コップの外径と同一寸法とし、該台のトップ面に該ホルダーを乗せた状態で該ホルダーの中に該紙コップを入れた時に、該ホルダーの上端の内側の円周と該紙コップ外面の円周とが一致して接触することにより隙間をなくすようにされていることを特徴とする請求項１又は２に記載のナメクジ駆除器。
【手続補正３】
【補正対象書類名】明細書
【補正対象項目名】０００９
【補正方法】変更
【補正の内容】
【０００９】  ナメクジ駆除器１は、本体部２と、本体部２の上部に嵌め込む蓋部６とによりなり、本体部２は、市販の使い捨て紙コップ（以下、紙コップ）１１の口を上向きにして入れて保持する円筒形のホルダー（以下、ホルダー）３と、この紙コップ１１を受けると共にホルダー３を乗せて固着させる台４と、台４のトップ面の水抜き孔４ａと、この水抜き孔４ａに取り付けられた防虫ネット４ｂと、ホルダー３を囲う円筒形のプロテクター５と、ホルダー３の外面とプロテクター５の内面との間に設けられた複数のスペーサー５ａとにより構成され、本体部２に組み入れた紙コップ１１を覆い誘引殺虫剤１０に雨とか潅水が掛からぬ様に設ける蓋部６は、本体部２を覆うカバー７と、摘まみ７ａと、カバー７の下側に取り付けられた円筒形のカバー受け８と、このカバー受け８の上部の複数の切り欠き８ａと、この複数の切り欠き８ａに取り付けられたナメクジ逃避防止ネット（以下、逃避防止ネット）８ｂと、カバー受け８の内面に固着された複数のストッパー８ｃを有し、カバー受け８の下部を本体部２のプロテクター５の上部外面に嵌め込んだ時に、ストッパー８ｃの下端がプロテクター５の上端によって受け止められるように構成される。本体部２から蓋部６を取り外すと直ぐそこにホルダー３があるので、使い捨て紙コップ１１を必要に応じて入れたり取り出したりすることが容易に出来る。